(57)【特許請求の範囲】
【請求項１】
第一面シートと、
前記第一面シートに対向し、前記第一面シートと共に袋体を構成する第二面シートと、
内容物収納部と連通する注出口部であって、前記第一面シートの上端と前記第二面シートの上端を接合する天シール部の左半分側と右半分側のいずれか一方に延在し、前記天シール部の上端部を切取線に沿って左右に切り取ることで開口部が形成される注出口部と、
を備える包装袋であって、
前記天シール部の左半分側と右半分側のいずれか他方に前記切取線より袋の下端側であって前記切取線と略平行に形成された易切断線と、
前記易切断線の末端であって前記注出口部に達する前に形成された切断停止部と、
前記易切断線に沿って前記切断停止部まで切断することで形成される天シール部舌片の端部に設けられた係止部と、
を備え、前記係止部は、前記注出口部を折り返した状態で、前記天シール部舌片を前記注出口部側に折り返すことで前記注出口部の折り返し端部に当接して前記折り返し端部を係止することを特徴とする包装袋。
【請求項２】
前記切取線より袋の下端側であって前記切取線と略平行に形成され、前記注出口部を折り返し可能な折り曲げ線
を備え、前記係止部は、前記注出口部を前記折り曲げ線に沿って折り返した状態で、前記天シール部舌片を前記注出口部側に折り返すことで前記注出口部の折り返し端部に当接して前記折り返し端部を係止する
ことを特徴とする請求項１に記載の包装袋。
【請求項３】
前記第一面シートと前記第二面シートの両サイドに挿入されて接合されたサイドガセットシート
をさらに備え、前記開口部は、切取後の前記第一面シートの上端及び前記第二面シートの上端並びに前記サイドガセットシートの上端で構成される
ことを特徴とする請求項１，２のいずれかに記載の包装袋。
【請求項４】
前記天シール部舌片は、前記第一面シート及び前記第二面シート並びに前記サイドガセットシートで構成される
ことを特徴とする請求項３に記載の包装袋。
【発明の詳細な説明】
【技術分野】
【０００１】
本発明は包装袋に関し、特に開封後の再封機能に関する。
【背景技術】
【０００２】
従来から、各種包装袋の開封構造及びその再封構造が提案されている。
【０００３】
特許文献１には、別部材を使用することなく再封が可能で、易切断線を切断して注出路を分離するときに、易切断線の切断を所定の位置で停止させる包装袋が記載されている。一方のサイドシール部から他方のサイドシール部に向けて、張出しシール部を設け、天シール部と張出しシール部の間に内容物を取り出すときに通る内容物流出路が設けられる。また、内容物流出路と連通する内容物収納部を張出しシール部の下方に設け、張出しシール部に易切断線を設け、天シール部には内容物流出路を切断して開口部を設けるための開口用ノッチが設けられ、易切断線の先端には切断停止部が設けられる。切断停止部は半円弧と直線部からなり、半円弧は易切断線が半円弧の絃の中心を通り半円弧を二分する点に至るように設けられ、直線部は半円弧の両端部から一方のサイドシール部に向かうように設けられる。
【０００４】
特許文献２には、充填機の大幅な改造を必要とすることなく、開封時に切取り部を折り返してパウチに容易に引っ掛けることができ、折り返し部が外れることなく、突出した形状の注出口部が得られ、詰替え作業を安定して行う詰替え用包装袋が記載されている。略方形の表裏フィルムの上部を貼り合わせてなる上部シール部の一隅側の容器内方に、上部シール部から容器底部側に向けて連続する延長シール部と容器側部との間に位置した注出口部を設け、延長シール部に注出口の開封予定線と交わる分割線部を設け、分割線の上端には切れ止め手段が設けられる。また、下端には該分割線とつながる包装袋上部に向かった折り曲げ線が設けられる。
【先行技術文献】
【特許文献】
【０００５】
【特許文献１】特開２０１３−２２４１６７号公報
【特許文献２】特開２０１０−１７３６８８号公報
【発明の概要】
【発明が解決しようとする課題】
【０００６】
しかしながら、従来の包装袋の再封機能は必ずしも簡易性及び確実性の点において十分満足できるものではなく、さらなる改良が求められている。
【０００７】
再封の簡易性及び確実性の観点からは、ジップあるいはチャックが用いられる場合があるが、内容物が紛体等の際には内容物注出量の調整が比較的困難で、ジップあるいはチャック部分に内容物が詰まって再封の障害となる場合も少なくない。また、ジップあるいはチャックの再封が完全かどうかを外観から判別するのが比較的困難という問題がある。
【０００８】
本発明の目的は、注出口を簡易にかつ確実に再封でき、しかも内容物が詰まることがなく、再封の状態を外観から容易に判別できる再封機能を備えた包装袋を提供することにある。  
【課題を解決するための手段】
【０００９】
本発明は、第一面シートと、前記第一面シートに対向し、前記第一面シートと共に袋体を構成する第二面シートと、内容物収納部と連通する注出口部であって、前記第一面シートの上端と前記第二面シートの上端を接合する天シール部の左半分と右半分のいずれか一方に延在し、前記天シール部の上端部を切取線に沿って左右に切り取ることで開口部が形成される注出口部とを備える包装袋であって、前記天シール部の左半分と右半分のいずれか他方に前記切取線より袋の下端側であって前記切取線と略平行に形成された易切断線と、前記易切断線の末端であって前記注出口部に達する前に形成された切断停止部と、前記易切断線に沿って前記切断停止部まで切断することで形成される天シール部舌片の端部に設けられた係止部とを備え、前記係止部は、前記注出口部を折り返した状態で、前記天シール部舌片を前記注出口部側に折り返すことで前記注出口部の折り返し端部に当接して前記折り返し端部を係止することを特徴とする。
【００１０】
本発明の１つの実施形態では、前記切取線より袋の下端側であって前記切取線と略平行に形成され、前記注出口部を折り返し可能な折り曲げ線を備え、前記係止部は、前記注出口部を前記折り曲げ線に沿って折り返した状態で、前記天シール部舌片を前記注出口部側に折り返すことで前記注出口部の折り返し端部に当接して前記折り返し端部を係止する。
本発明の他の実施形態では、前記第一面シートと前記第二面シートの両サイドに挿入されて接合されたサイドガセットシートをさらに備え、前記開口部は、切取後の前記第一面シートの上端及び前記第二面シートの上端並びに前記サイドガセットシートの上端で構成される。
【００１１】
本発明のさらに他の実施形態では、前記天シール部舌片は、前記第一面シート及び前記第二面シート並びに前記サイドガセットシートで構成される。
【発明の効果】
【００１２】
本発明によれば、ジップあるいはチャックを用いることなく注出口を簡易に確実に再封でき、かつ、再封の状態を容易に判別できる。
【図面の簡単な説明】
【００１３】
【図１】実施形態の包装袋の平面図である。
【図２】実施形態の包装袋の開封時説明図である。
【図３】実施形態の包装袋の再封時説明図である。
【図４】他の実施形態の包装袋の平面図である。
【図５】図４の包装袋の分解斜視図である。
【図６】図４の包装袋の開封時説明図である。
【図７】図４の包装袋のポイントシール部説明図である。
【図８】さらに他の実施形態の包装袋の平面図である。
【発明を実施するための形態】
【００１４】
以下、図面に基づき本発明の実施形態について説明する。
【００１５】
＜第１実施形態＞
＜構成＞
図１は、本実施形態における包装袋の平面図を示す。包装袋は、例えば表面シートとしての第一面シート１１と、例えば裏面シートとしての第二面シート１２を、それぞれの上端、下端及びサイドを互いに接合して構成される。以下の説明では、上端の接合部を天シール部、下端の接合部を底シール部、サイドの接合部をサイドシール部と称する。第一面シート１１及び第二面シート１２はそれぞれ別のシートとする他、一枚のシートを折り畳むことによって構成してもよい。
【００１６】
包装袋の基本構成は第一面シート１１と第二面シート１２を筒状に接合するものであるが、第一面シート１１と第二面シート１２の両サイドの間に折り込まれて挿入されサイドガセット部を構成するサイドガセットシートを介在させてもよく、あるいは第一面シート１１と第二面シートの両下端の間に折り込まれて挿入され底ガセット部を構成する底ガセットシートを介在させてもよい。これらについては後述する。
【００１７】
第一面シート１１及び第二面シート１２は、通常、樹脂フィルムから構成される。シートを構成する樹脂フィルムには、耐衝撃性、耐摩耗性、耐熱性等、包装体としての基本的な性能を備えることが要求される。また、接合をヒートシールにより行う場合には、さらにヒートシール性が要求される。ヒートシール性は、ベースフィルム層にシーラント層を積層することで付与し得る。
【００１８】
天シール部２０は、第一面シート１１と第二面シート１２の上端周縁部同士を接合して形成される。本実施形態における天シール部２０は、左右対称に形成されておらず、左半分における天シール部２０の方が右半分における天シール部２０よりも下端側により多く形成される。天シール部２０の下端は、第一面シート１１と第二面シート１２で形成される袋体、すなわち内容物収納部５０の上端を規定する。サイドシール部１７は、第一面シート１１と第二面シート１２のサイド周縁部同士を接合して形成される。底シール部１３は、第一面シート１１と第二面シート１２の下端周縁部同士を接合して形成される。
【００１９】
内容物収納部５０は、第一面シート１１と第二面シートの上端、下端及び両サイドを接合して形成される内部空間として構成され、天シール部２０、サイドシール部１７及び底シール部１３で囲まれた袋体として構成される。内容物収納部５０に収納される内容物は、粉粒体等の固形物やゼリー状、ゲル状などの半固形物、あるいはシャンプーや液体洗剤等の液状物であるが特に限定されない。本実施形態では、粉体を例にとり説明する。
【００２０】
内容物収納部５０は、包装袋の左右方向及び下端方向のほぼ全域にわたって形成されるが、上端方向については異なる。すなわち、内容物収納部５０の上端は、第一面シート１１と第二面シート１２の上端同士を接合する天シール部２０のうち、左半分と右半分のいずれか一方の側では包装袋の上端近傍まで延在し、左半分と右半分のいずれか他方側では上端近傍まで延在せず、より下端側まで延在する。図では、天シール部２０のうち、右半分において内容物収納部５０は上端近傍まで延在し、左半分において上端近傍まで延在せず、より下端側までしか延在していない。言い換えれば、天シール部２０は、右半分において包装袋の上端近傍しか形成されておらず、左半分においては包装袋の上端近傍だけでなくさらに下端側まで延在して形成される。内容物収納部５０の左半分における上端位置は、図では包装袋の上下方向長さの約１／６程度であるが特に限定されない。但し、内容物収納部５０の容量を考慮すると、１／４程度以内に抑えることが好ましい。他方、天シール部２０の右半分において、包装袋の上端近傍まで延在する内容物収納部５０の部分は、内容物収納部５０に連通する注出口部５２を構成する。
【００２１】
包装袋の天シール部２０には、左右方向に切取線２１が形成される。切取線２１は、天シール部２０の右半分では注出口部５２の上端部よりも包装袋の下端側に形成される。すなわち、切取線２１は、注出口部５２を横切るように形成される。また、切取線２１は、天シール部２０の左半分では内容物収納部５０の上端よりも包装袋の上端側に形成される。切取線２１に沿った包装袋の左右サイド端部には、開口用ノッチ２１ａ，２１ｂが形成される。包装袋の使用者は、開封時に左右の開口用ノッチ２１ａ，２１ｂ及び切取線２１に沿って天シール部２０の上端を切り取る。切取線２１は、注出口部５２の上端部よりも包装袋の下端側に形成されているから、切取線２１に沿って天シール部２０を左右方向に切り取ると、注出口部５２の上端部が切り取られて注出口部５２に外部露出した開口部が形成される。この開口部は内容物収納部５０と連通しているから、開口部を介して内容物収納部５０に収納された粉体を外部に注出できる。
【００２２】
天シール部２０の左半分側、すなわち注出口部５２が形成されていない側には、切取線２１よりも包装袋の下端側であって切取線２１と略平行に易切断線２３が形成される。易切断線２３の先端には切断用ノッチが形成されていてもよい。また、易切断線２３の末端には、注出口部５２に達する前に切断停止部２６が形成される。易切断線２３は、当該線に沿って包装袋を切断することを容易にするための線であり、切取線２１と同種の線から構成されてもよい。この意味で、易切断線２３は第２切取線としてもよい。
【００２３】
切断停止部２６は、包装袋の左右方向の略中央に設けられて易切断線２３の末端に接続される。切断停止部２６は、具体的には上下方向に延びた縦長の長円形状の孔であり、孔の上端は切取線２１と易切断線２３の間に位置し、孔の下端は易切断線２３よりも下端側であって内容物収納部５０よりも上端側に位置する。図では、内容物収納部５０の一部、すなわち切断停止部２６の下端に面する部分が包装袋の下端側に向けて凹み、この凹みに孔の下端が延びている。切断停止部２６を孔から構成することで、切断停止部２６は、易切断線２３に沿った切断を左右方向の略中央で停止させると同時に、包装袋をフックなどに吊す際の吊し孔としても機能し得る。
【００２４】
切取線２１と易切断線２３の間の帯状部分の端部には、係止部２４が形成される。係止部２４は、具体的にはその一端がＵ字状の切れ目で第一面シート１１と第二面シート１２から切り離され、他端がシートに繋がったクリップであり、Ｕ字状の切れ目は注出口部５２に面するように形成される。このクリップは、第一面シート１１及び第二面シート１２と同様の弾性力を有し、間に物を挟んで係止し得る。切取線２１で包装袋の上端が切り取られ、さらに易切断線２３で切断停止部２６まで切断されると、天シール部２０はその一端が注出口部５２に繋がり、他端が開放された舌片２２を構成し、係止部２４はこの舌片２２の端部（舌片の根本と反対側の端部）に位置する。
【００２５】
内容物収納部５０に連通する注出口部５２には、易切断線２３の略延長線上であって切断停止部２６から左右方向に延びる折り曲げ線２５が形成される。図では、折り曲げ線２５は、易切断線２３よりも包装袋の上端側に形成されているが、易切断線２３の延長線上に形成されていてもよい。要するに、折り曲げ線２５は、切取線２１と易切断線２３の間、あるいは易切断線２３の延長線上に形成されていればよい。折り曲げ線２５の末端（切断停止部２６と反対側の端部）には折り曲げ用ノッチが形成されていてもよい。また、切断停止部２６のうち、折り曲げ線２５が接続される部位には、切り欠き部が形成されて折り曲げを容易化してもよい。  
【００２６】
このように、本実施形態の包装袋は、
（１）天シール部２０の上端に切取線２１が形成される
（２）天シール部２０の右半分側において内容物収納部５０は上端部近傍まで延在して注出口部５２を形成する。
（３）天シール部２０の上端を切取線２１に沿って左右に切り取ることで注出口部５２の開口部が形成される
（４）天シール部２０の左半分側には切取線２１よりも包装袋の下端側に易切断線２３が形成され、易切断線２３の末端に切断停止部２６が形成される
（５）切取線２１と易切断線２３の間の端部に係止部２４が形成される
（６）注出口部５２の易切断線２３の略延長線上に折り曲げ線２５が形成される
ものであり、これらの構成要素によって開封時に注出口部５２に開口部を形成するとともに、形成された開口部を再封するものである。
【００２７】
すなわち、内容物収納部５０に収納された粉体を注出する際には、まず、切取線２１に沿って天シール部２０の上端を左右に切り取る。例えば、左端の開口用ノッチ２１ａから切り取り始め、右方向に切取線２１に沿って上端を切り取る。切取線２１は注出口部５２を横断しているので、天シール部２０の上端を切り取ることで注出口部５２に開口部が形成される。包装袋を把持し、必要量だけ傾けて開口部から粉体を注出する。
【００２８】
注出口部５２の開口部を再封する際には、易切断線２３に沿って左端の切断用ノッチから切断し始め、右方向に切断していき、切断停止部２６まで天シール部２０を切断する。この切断により、その一端が注出口部５２に繋がり、他端が天シール部２０から切断された天シール部舌片２２が形成される。この天シール部舌片２２の端部（左端部）には、係止部２４が形成される。
【００２９】
次に、注出口部５２を折り曲げ線２５に沿って折り返し、開口部を下端側に向ける。そして、天シール部舌片２２を根本に沿って注出口部５２の方に折り返し、係止部２４を包装袋の右端側に位置させ、係止部２４を注出口部５２の折り返し端部を挟むように係止して開口部を再封する。
【００３０】
以下、開封動作及び再封動作について、順に詳述する。
【００３１】
＜開封動作＞
図２は、天シール部２０の上端を切り取って注出口部５２に開口部を形成する場合の説明図である。
【００３２】
まず、図２（ａ）に示すように、天シール部２０の上端を切取線２１に沿って左右方向に切り取っていく。図では左端部から切り取り始め右方向に向けて切り取っているが、これとは逆に右端部から切り取って左方向に向けて切り取ってもよい。
【００３３】
図２（ｂ）は、切取線２１に沿って天シール部２０の上端を全て切り取った状態を示す。注出口部５２の上端には開口部５２ａが形成される。なお、図から分かるように開口部５２ａの径は、切取線２１が横断する注出口部５２の左右方向幅により決定されるため、開口部５２ａの径を比較的大きくして内容物の注出を容易化するために注出口部５２の幅も適当な幅に設定される。注出口部５２の幅を上端に向けて徐々に狭め、切取線２１の位置において所望の幅に設定してもよい。
【００３４】
図２（ｃ）は、内容物である粉体を注出している状態を示す。包装袋を把持して傾け、開口部５２ａを下に向けて粉体を注出する。所望の量の粉体を注出した後、再び図２（ｂ）の状態に戻る。注出口部５２にはジップあるいはチャックが存在しないため、粉体注出時に不必要にジップ等に詰まることはない。
【００３５】
＜再封動作＞
図３は、注出口部５２の開口部５２ａを再封する場合の説明図である。
【００３６】
まず、図３（ａ）に示すように、天シール部２０の左半分を左端部から切断し始め、易切断線２３に沿って切断停止部２６まで右方向に切断していく。切断停止部２６は長円形状の孔であり、易切断線２３に沿った切断は切断停止部２６の孔に達して停止する。易切断線２３に沿った天シール部２０の切断により、その一端が注出口部５２、より詳しくは注出口部５２の左側部に残存する天シール部２０に繋がった天シール部舌片２２が形成される。天シール部舌片２２の端部、すなわち左端部には係止部２４が形成され、他方側の端部、すなわち右端部は舌片の根本であり切断停止部２６の孔の一部が形成される。よって、この部分において天シール部舌片２２の幅は孔の分だけ狭くなる。切断停止部２６の孔の上端は、切取線２１と易切断線２３の間に延在するが、天シール部舌片２２の根本における幅を規定するものであるため、その程度は天シール部舌片２２の根本における強度が維持される程度に設定される。
【００３７】
次に、図３（ｂ）に示すように、注出口部５２を折り曲げ線２５に沿って折り返し、開口部５２ａが下端側を向くようにする。例えば、図示のように、注出口部５２を折り曲げ線２５に沿って手前側に折り返す。このとき、天シール部舌片２２の一端は注出口側５２に繋がっているので、天シール部舌片２２も同時に折り返されて表裏が逆になる。
【００３８】
次に、図３（ｃ）に示すように、注出口部５２を折り返して開口部５２ａを下端側に向けた状態を維持しつつ、天シール部舌片２２をその一端であって注出口部５２に繋がっている根本Ｒを折り曲げ部として注出口部５２の側に折り返す。このとき、注出口部５２を手前側に折り返した場合には、天シール部舌片２２をその反対側の奥側に折り返すのが好ましく、注出口部５２を奥側に折り返した場合には、天シール部舌片２２をその反対側の手前側に折り返すのが好ましい。注出口部５２を手前側に折り返した場合、天シール部舌片２２も第一面シート１１の手前側に位置しているので、天シール部舌片２２を第一面シート１１と第二面シート１２を跨ぐようにして奥側に回し込み、その後に根本Ｒで注出口部５２の側に折り返す。より詳細には、第一面シート１１の手前側にある天シール部舌片２２を、切断停止部２６の孔を利用して第一面シート１１の手前から第二面シート１２の奥側に回し込み、その後に根本Ｒで注出口側５２に折り返す。従って、切断停止部２６の孔の下端は、天シール部舌片２２を手前側から奥側に回し込むことを考慮した位置に設けることが好ましい。例えば、折り曲げ線２５と切断停止部２６の孔の下端との上下方向距離は、天シール部舌片２２の幅、つまり切取線２１と易切断線２３との距離に略等しい距離とする等である。
【００３９】
但し、これに限定されるものではなく、注出口部５２を手前側に折り返すとともに、天シール部舌片２２も手前側に折り返してもよい。
【００４０】
注出口部５２を折り返した状態を維持しつつ天シール部舌片２２を注出口部５２側に折り返すことで、天シール部舌片２２の端部（左端部）に位置していた係止部２４は、注出口部５２の右端部に位置するようになり、注出口部５２の折り返し端部に当接するようになる。
【００４１】
最後に、図３（ｄ）に示すように、折り返した状態の注出口部５２の右端部に位置する係止部２４を注出口部５２の折り返し端部に係止させる。すなわち、係止部２４のＵ字状クリップで折り返し端部を挟持して係止する。これにより、注出口部５２はその折り返し状態のままで係止され、注出口部５２の開口部５２ａが再封される。
【００４２】
図３（ｃ）及び図３（ｄ）から分かるように、本実施形態では天シール部舌片２２を注出口部５２側に折り返して係止部２４を注出口部５２の右端部に位置させるため、天シール部舌片２２における係止部２４と根本Ｒとの距離は根本Ｒと注出口部５２の右端部との距離以上であることが必要であり、このために天シール部舌片２２の長さを規定する切断停止部２６の孔の位置及び大きさを所望の値に設定する。
【００４３】
本実施形態では、ジップ等を用いることなく開口部５２ａの再封が可能であり、従ってジップ部分に粉体が詰まって再封の障害となることがない。
【００４４】
また、本実施形態では再封時に易切断線２３に沿って天シール部２０を切断停止部２６まで切断し、後は必要な部分を折り返すだけで再封できるため、極めて簡易に再封できる。しかも、折り返し状態及び係止状態を容易に視認できるため、再封が確実に行われているか否かを外観から容易に確認できる。
【００４５】
本実施形態では、係止部２４の弾性を利用して注出口部５２の折り返し状態を係止して再封するので、係止部２４を構成する第一面シート１１及び第二面シート１２の弾性は一定以上とすることが好ましい。製造上あるいはコスト上許容されるのであれば、係止部２４を第一面シート１１及び第二面シート１２と異なる材料で構成することも可能である。
【００４６】
本実施形態では、包装袋を第一面シート１１及び第二面シートを接合して構成したが、次に、サイドガセットシートを備えた包装袋の実施形態について説明する。
【００４７】
＜第２実施形態＞
図４は、他の実施形態の包装袋の平面図である。図１と異なる点は、第一面シート１１と第二面シート１２の両サイドの間に山折り状態で折り込まれて挿入されサイドガセット部を構成するサイドガセットシート１８を介在させた点である。サイドガセットシート１８は、第一面シート１１と第二面シート１２の両サイドの間に折り込まれて挿入され、サイドシール部１７で接合されるとともに、上端及び下端左右それぞれの合計４箇所のポイントシール部１９でポイントシールされる。図において、サイドガセットシート１８の折目を一点鎖線ｆで示す。ポイントシール部１９では、サイドガセットシート１８に切り欠き部が設けられて第一面シート１１と第二面シート１２とが直接当接するようになっており、ポイントシール部１９で第一面シート１１と第二面シート１２とを直接接合する。
【００４８】
図４に示す包装袋では、内容物収納部５０に粉体等の内容物を収納（充填）すると、山折りされていたサイドガセットシート１８が展開して広がり、包装袋に厚みを与える。
【００４９】
図５は、図４に示す包装袋の概略的な分解斜視図である。なお、図５において、第一面シート１１、第二面シート１２、サイドガセットシート１８は、短尺のシート片として示されているが、実際には所望の長さに切断されるまでは長尺のシートである。略同一の幅及び長さを有する第一面シート１１と第二面シート１２を対向させ、第一面シート１１と第二面シート１２の左右のサイドの間にそれぞれサイドガセットシート１８を山折りにして挿入する。この状態で、第一面シート１１及び第二面シートの上端同士及び下端同士、さらには左右の両サイド同士を接合する。サイドガセットシート１８には、その左右の上下端部に合計４個の切り欠き部１８ａが形成されており、この切り欠き部１８ａを介して第一面シート１１と第二面シート１２が直接当接し、上記のポイントシール部１９で直接接合される。
【００５０】
本実施形態の包装袋でも、天シール部２０の上端に切取線２１、天シール部２０の右半分側に注出口部５２及び折り曲げ線２５が形成され、天シール部２０の左半分側に易切断線２３及び係止部２４が形成され、易切断線２３の末端に切断停止部２６が形成されており、切取線２１に沿って天シール部２０の上端を左右に切り取ることで注出口部５２に開口部５２ａが形成される。
【００５１】
このとき、サイドガセットシート１８が第一面シート１１と第二面シート１２の間に山折り状態で挿入されているため、切取線２１に沿って切り取ると、第一面シート１１及び第二面シート１２の上端のみならず、その間に挿入されたサイドガセットシート１８の上端も同時に切り取られる。注出口部５２の開口部５２ａは、第一面シート１１の切取縁部と第二面シート１２の切取縁部とサイドガセットシート１８の切取縁部で構成されることとなり、この状態でサイドガセットシート１８を展開して広げることで、図６に示すように、開口部５２ａを大きく展開できるとともに、サイドガセットシート１８の展開部が、あたかも鳥の嘴のように注出通路を構成することとなり、注出量の調整が容易化される。
【００５２】
開口部５２ａを再封する際には、展開しているサイドガセットシート１８を再び山折りして第一面シート１１と第二面シート１２の間に挿入し、その後、図３に示すように注出口部５２を折り曲げ線２５に沿って折り返し、天シール部舌片２２を折り返して係止部２４で折り返し端部を係止する。
【００５３】
図４における天シール部舌片２２の端部側は、第一面シート１１、第二面シート１２及びサイドガセットシート１８で構成されているため、その分強度が増し、注出口部５２の折り返し端部を確実に係止し得る。
【００５４】
なお、天シール部舌片２２の端部側は、切取線２１及び易切断線２３により形成されるため、第一面シート１１と第二面シート１２との間にサイドガセットシート１８が山折り状態で挿入されて山折りの辺のみで接合された状態となり、その端部において第一面シート１１と第二面シート１２が接合されておらず乖離自在な状態となる。従って、係止部２４においても同様に第一面シート１１と第二面シート１２が乖離自在な状態となり、クリップとしての一体的形状を維持するのが困難となる場合もあり得る。
【００５５】
この場合、図７（ａ）に示すように、係止部２４の上部に位置するポイントシール部１９を下端方向に係止部２４まで達するように延在させ、係止部２４においても第一面シート１１と第二面シート１２を接合すればよい。これにより、切取線２１で切り取り、易切断線２３で切断することで天シール部舌片２２を形成しても、その端部は第一面シート１１と第二面シート１２は接合されているため乖離することはなく、係止部２４もその一体形状が維持される。勿論、ポイントシール部１９の形成位置及び形状はこれに限定されるものではない。例えば、図７（ｂ）に示すように、サイドから係止部２４まで達するように横方向にポイントシール部１９を延在させてもよい。あるいは、図７（ｃ）に示すように、係止部２４の位置にポイントシール部１９を形成してもよい。なお、ここでは、ポイントシール部１９を利用した接合手段を説明したが、接合手段はこれに限定されず、例えば接着剤等によって係止部２４における第一面シート１１と第二面シート１２を接合してもよい。
【００５６】
本実施形態では、サイドガセットシート１８を備える包装袋について説明したが、次に、底ガセットシートを備える包装袋の実施形態について説明する。
【００５７】
＜第３実施形態＞
図８は、さらに他の実施形態の包装袋の平面図である。図１と異なる点は、第一面シート１１と第二面シート１２の下端の間に山折り状態で折り込まれて挿入され底ガセット部を構成する底ガセットシート１６を介在させた点である。底ガセットシート１６は、第一面シート１１と第二面シート１２の下端の間に折り込まれて挿入され、底シール部１３で接合されるとともに、下端左右２箇所のポイントシール部１４でポイントシールされる。図において、底ガセットシート１６の折目を一点鎖線ｆで示す。ポイントシール部１４では、底ガセットシート１６に切り欠き部が設けられて第一面シート１１と第二面シート１２とが直接当接するようになっており、ポイントシール部１４で第一面シート１１と第二面シート１２とを直接接合する。
【００５８】
図８に示す包装袋でも、内容物収納部５０に内容物を収納（充填）すると、山折りされていた底ガセットシート１６が展開して広がり、包装袋に厚みを与える。また、底ガセットシート１６により自立可能な包装袋となる。
【００５９】
本実施形態の包装袋でも、天シール部２０の上端に切取線２１、天シール部２０の右半分側に注出口部５２及び折り曲げ線２５が形成され、天シール部２０の左半分側に易切断線２３及び係止部２４が形成され、易切断線２３の末端に切断停止部２６が形成されており、切取線２１に沿って天シール部２０の上端を左右に切り取ることで注出口部５２に開口部５２ａが形成される。
【００６０】
開口部５２ａを再封する際には、注出口部５２を折り曲げ線２５に沿って折り返し、天シール部舌片２２を折り返して係止部２４で折り返し端部を係止する。
【００６１】
以上、本発明の実施形態について説明したが、本発明はこれらの実施形態に限定されず種々の変形が可能である。
【００６２】
例えば、本実施形態では、注出口部５２に折り曲げ線２５を形成しているが、折り曲げ線２５は罫押し線やハーフカット、あるいはミシン目加工により形成することができる。また、折り曲げ線２５を形成しなくてもよい。この場合には注出口部５２の折り曲げを容易化するために折り曲げ用ノッチを形成するのが好ましい。易切断線２３についても同様であり、ミシン目やハーフカット等により形成できる。さらに、切取線２１や易切断線２３についても、シートそのものを、直進カット性を備えるシートとすることで設けない構成とすることも可能である。直進カット性を備えるシートとしては、カット方向である左右方向に延伸処理された樹脂フィルムを有するシートが挙げられる。この場合、切取線２１及び易切断線２３は、それぞれ切取予定線、易切断予定線と称することもでき、いずれも本発明に含まれ得る。
【００６３】
また、本実施形態では切断停止部２６として縦長の長円形状の孔を例示したが、これ以外、例えば半円弧のＣ字形状の切れ目から構成してもよい。半円弧を略二分する点に易切断線２３の末端を接続することで、易切断線２３に沿って左右に切断した場合に半円弧の切れ目で切断が停止される。
【００６４】
また、図４ではサイドガセットシート１８が挿入された包装袋、図６では底ガセットシート１６が挿入された包装袋を例示したが、サイドガセットシート１８が挿入され、かつ底ガセットシート１６が挿入された包装袋にも適用し得る。
【００６５】
また、本実施形態では、天シール部舌片２２の端部に形成された係止部２４により注出口部５２の折り返し端部を挟持することで係止しているが、係止部２４により注出口部５２の折り返していない端部を係止することで天シール部舌片２２の折り返し状態を維持することで注出口部５２の折り返し状態を維持してもよい。すなわち、天シール部舌片２２は根本Ｒで注出口部５２に繋がっており、両者はともに第一面シート１１と第二面シート１２から構成されているので一定の弾性を有している。従って、開口部５２ａを下端側に向けて注出口部５２を折り返した状態において天シール部舌片２２を根本Ｒで折り返して注出口部５２の端部に係止することで、注出口部５２の折り返し状態が維持され得る。また、天シール部舌片２２を２回折り返して、注出口部５２の中央側端部に係止する態様も可能である。
【００６６】
さらに、本実施形態では、係止部２４の形状をＵ字状の切れ目で構成されるクリップとしたが、天シール部舌片２２を折り返した状態で注出口部５２の端部に係止できる機能を有する任意の形状、例えば「コ」の字型等を用い得ることは上記の説明から明らかであろう。
【符号の説明】
【００６７】
１１  第一面シート、１２  第二面シート、１３  底シール部、１６  底ガセットシート、１７  サイドシール部、１８  サイドガセットシート、１４，１９  ポイントシール部、２０  天シール部、２１  切取線、２１ａ  開口用ノッチ、２２  天シール部舌片、２３  易切断線、２４  係止部、２５  折り曲げ線、２６  切断停止部、５０  内容物収納部、５２  注出口部、５２ａ  開口部。
【図１】
0006471019.tif 000002
【図２】
0006471019.tif 000003
【図３】
0006471019.tif 000004
【図４】
0006471019.tif 000005
【図５】
0006471019.tif 000006
【図６】
0006471019.tif 000007
【図７】
0006471019.tif 000008
【図８】
0006471019.tif 000009